(57)【要約】【課題】記録ディスクカートリッジの部品点数を削減することが可能なドライブ装置を提供すること。【解決手段】記録ディスクメディアＤＭと、カートリッジケース１１０と、ロータリシャッタ１２０と、シャッタノブ１２２と、を有する記録ディスクカートリッジ１００に適用されるドライブ装置Ｄであって、カートリッジスロットＤＳと収容空間２とを形成するケーシング１と、カートリッジスロットＤＳに配置され、起立・傾倒することでカートリッジスロットＤＳを開閉するスロットドア１０と、を備え、記録ディスクカートリッジ１００の取出時にシャッタノブ１２２を摺動自在に係止することでロータリシャッタ１２０を閉方向に回動させる第１係止部１１をスロットドア１０に設けた。【選択図】図１
2007172679.tif 000002
【特許請求の範囲】
【請求項１】
記録ディスクメディアと、前記記録ディスクメディアを収容するとともに前記記録ディスクメディアを外部に臨ませるケース開口を有するカートリッジケースと、前記カートリッジケースに設置され前記ケース開口を開閉するシャッタと、を有する記録ディスクカートリッジに適用されるドライブ装置であって、
前記記録ディスクカートリッジの挿入口と収容空間とを形成するケーシングと、
前記挿入口に配置され、起立・傾倒することで前記挿入口を開閉するスロットドアと、を備え、
前記記録ディスクカートリッジの取出時に前記シャッタを係止することで、前記記録ディスクカートリッジの取出動作に連動して前記シャッタを閉方向に移動させる第１係止部を前記スロットドアに設けたことを特徴とするドライブ装置。
【請求項２】
記録ディスクメディアと、前記記録ディスクメディアを収容するとともに前記記録ディスクメディアを外部に臨ませるケース開口を有するカートリッジケースと、前記カートリッジケースに回動自在に設置されて前記ケース開口を開閉するロータリシャッタと、前記ロータリシャッタに突設されたシャッタノブと、を有する記録ディスクカートリッジに適用されるドライブ装置であって、
前記記録ディスクカートリッジの挿入口と収容空間とを形成するケーシングと、
前記挿入口に配置され、起立・傾倒することで前記挿入口を開閉するスロットドアと、を備え、
前記記録ディスクカートリッジの取出時に前記シャッタノブを摺動自在に係止することで前記ロータリシャッタを閉方向に回動させる第１係止部を前記スロットドアに設けたことを特徴とするドライブ装置。
【請求項３】
前記スロットドアは、前記ロータリシャッタが閉位置にあるときの前記シャッタノブに対応する位置に、前記スロットドアが傾倒した状態で前記シャッタノブを通過させる通過溝を備えることを特徴とする請求項２に記載のドライブ装置。
【請求項４】
前記通過溝は、前記スロットドアの基端側から先端側に向って浅くなるとともに前記記録ディスクカートリッジの挿入時に前記シャッタノブを通過させる第１溝部と、前記記録ディスクカートリッジの取出時に前記シャッタノブを通過させる第２溝部と、を有し、
前記スロットドアは、付勢手段によって起立方向に付勢されているとともに、前記第１溝部に前記シャッタノブが当接することで、前記記録ディスクカートリッジの挿入時に取出時よりも大きく傾倒することを特徴とする請求項３に記載のドライブ装置。
【請求項５】
前記ケーシングは、前記記録ディスクカートリッジの挿入時に前記シャッタノブを摺動自在に係止することで前記ロータリシャッタを開方向に回動させる第２係止部を有することを特徴とする請求項２から請求項４のいずれか１項に記載のドライブ装置。
【発明の詳細な説明】
【技術分野】
【０００１】
本発明は、記録ディスクメディアに対する記録再生を行うドライブ装置に関する。
【背景技術】
【０００２】
一般に、記録ディスクカートリッジは、開閉シャッタにより、選択的に記録ディスクメディアを外部に臨ませる機構を備えている。
図２６は、従来の記録ディスクカートリッジ８００及びドライブ装置Ｄをその下方から見上げた斜視図である。
記録ディスクカートリッジ８００は、カートリッジケース８１０とロータリシャッタ８２０とを主に備えて構成されている。
【０００３】
このような記録ディスクカートリッジ８００は次のように動作する。
ロータリシャッタ８２０が閉位置にある記録ディスクカートリッジ８００がドライブ装置ＤのカートリッジスロットＤＳに挿入されると、ロータリシャッタ８２０の下面からカートリッジケース８１０のガイド溝８１３を介して突出したシャッタノブ８２５がカートリッジスロットＤＳの開口縁部Ｄ１に当接する。そして、記録ディスクカートリッジ８００がさらに挿入されていくと、シャッタノブ８２５がガイド溝８１３の最後部まで移動するのに伴い、ロータリシャッタ８２０が開方向に回動する。このとき、ロータリシャッタ８２０の動きに伴い圧縮ばね８１４が圧縮される。そして、ロータリシャッタ８２０の切欠部８２１とアクセス用開口部８１１とが一致し、アクセス用開口部８１１を開く。  
【０００４】
一方、ロータリシャッタ８２０が開位置にある記録ディスクカートリッジ８００は、ドライブ装置Ｄの外部へ引き出されるのにつれて、圧縮ばね８１４の付勢力（復元力）によりロータリシャッタ８２０が挿入方向と逆方向（閉方向）に押戻される。これに伴いシャッタノブ８２５は、カートリッジスロットＤＳに当接しながらガイド溝８１３の最前部まで移動する。そして、切欠部８２１とアクセス用開口部８１１とが周方向にずれて、アクセス用開口部８１１を閉じる。
【特許文献１】特表２００２−５０３８６５号公報（段落００１８、図６）
【発明の開示】
【発明が解決しようとする課題】
【０００５】
ところで、従来のドライブ装置Ｄでは、記録ディスクカートリッジ８００がドライブ装置Ｄから引き出された際に、ロータリシャッタ８２０を確実に閉位置に戻させるには、記録ディスクカートリッジ８００に圧縮ばね８１４などの付勢手段を備えていることが必要である。
しかしながら、このような付勢手段をカートリッジケース８１０内に設けると、記録ディスクカートリッジ８００の部品点数が多くなってしまう。
【０００６】
そこで、本発明では、前記した問題を解決し、記録ディスクカートリッジの部品点数を削減することが可能なドライブ装置を提供することを目的とする。
【課題を解決するための手段】
【０００７】
本発明に係るドライブ装置は、記録ディスクメディアと、前記記録ディスクメディアを収容するとともに前記記録ディスクメディアを外部に臨ませるケース開口を有するカートリッジケースと、前記カートリッジケースに設置され前記ケース開口を開閉するシャッタと、を有する記録ディスクカートリッジに適用されるドライブ装置であって、前記記録ディスクカートリッジの挿入口と収容空間とを形成するケーシングと、前記挿入口に配置され、起立・傾倒することで前記挿入口を開閉するスロットドアと、を備え、前記記録ディスクカートリッジの取出時に前記シャッタを係止することで、前記記録ディスクカートリッジの取出動作に連動して前記シャッタを閉方向に移動させる第１係止部を前記スロットドアに設けたことを特徴とする。
【０００８】
かかる構成によれば、記録ディスクカートリッジの取出時に前記シャッタを係止することで、前記記録ディスクカートリッジの取出動作に連動して前記シャッタを閉方向に移動させる第１係止部が前記スロットドアに設けられているので、記録ディスクカートリッジをドライブ装置から取り出す（引き抜く）と、第１係止部によってシャッタが係止され、この取出動作に連動してシャッタが閉方向に移動する。そのため、記録ディスクカートリッジにシャッタを閉方向に移動させる手段を設ける必要がなく、記録ディスクカートリッジの部品点数を削減することが可能となる。
【０００９】
なお、ケース開口を開閉するシャッタの構造は、特に限定されるものではなく、直線的に進退するスライド型のシャッタでもよいし、周方向に回動するロータリシャッタでもよい。また、シャッタがロータリシャッタの場合、第１係止部は、記録ディスクカートリッジの引き抜き方向の動き（直線的な動き）をシャッタの閉方向への動き（周方向の動き）に変換できる機構であるのが好ましい。また、第１係止部は、シャッタを直接係止してもよいし、シャッタに突起などを形成してこれを介して係止するようにしてもよい。
【００１０】
また、本発明に係るドライブ装置は、記録ディスクメディアと、前記記録ディスクメディアを収容するとともに前記記録ディスクメディアを外部に臨ませるケース開口を有するカートリッジケースと、前記カートリッジケースに回動自在に設置されて前記ケース開口を開閉するロータリシャッタと、前記ロータリシャッタに突設されたシャッタノブと、を有する記録ディスクカートリッジに適用されるドライブ装置であって、前記記録ディスクカートリッジの挿入口と収容空間とを形成するケーシングと、前記挿入口に配置され、起立・傾倒することで前記挿入口を開閉するスロットドアと、を備え、前記記録ディスクカートリッジの取出時に前記シャッタノブを摺動自在に係止することで前記ロータリシャッタを閉方向に回動させる第１係止部を前記スロットドアに設けたことを特徴とする。
【００１１】
かかる構成によれば、ドライブ装置に挿入された記録ディスクカートリッジを取り出す（引き抜く）と、スロットドアに設けられた第１係止部によってシャッタノブが摺動自在に係止される。そして、その状態のまま、記録ディスクカートリッジを挿入口から引き抜いていくと、ロータリシャッタはカートリッジケースに回動自在に設置されているので、シャッタノブが第１係止部に押されて回動するとともに、ロータリシャッタがカートリッジケースに対して相対的に閉方向に回動する。このとき、シャッタノブは第１係止部に沿って摺動する。これにより、記録ディスクカートリッジにロータリシャッタを閉方向に付勢する手段を設けることなく、ロータリシャッタを閉位置に戻すことができる。よって、記録ディスクカートリッジの部品点数を削減することが可能となる。
【００１２】
なお、第１係止部は、シャッタノブと摺動できるように、記録ディスクカートリッジの引抜方向にのみシャッタノブを係止するのが好ましい。例えば、スロットドアの先端面を第１係止部として利用することができる。また、ロータリシャッタは、カートリッジケースの外側に設置されていてもよいし、記録ディスクメディアとカートリッジケースとの間に設置されていてもよい。ロータリシャッタが記録ディスクメディアとカートリッジケースとの間に設置されている場合は、シャッタノブを突出させるためのガイド溝をカートリッジケースに設けるのが好ましい。また、ガイド溝は、シャッタノブの軌跡に沿って開口しているのが好ましい。
【００１３】
また、本発明に係るドライブ装置のスロットドアは、前記ロータリシャッタが閉位置にあるときの前記シャッタノブに対応する位置に、前記スロットドアが傾倒した状態で前記シャッタノブを通過させる通過溝を備えることを特徴とする。
【００１４】
かかる構成によれば、ドライブ装置に挿入された記録ディスクカートリッジを引き抜いていくと、ロータリシャッタが閉位置に戻ったときに、シャッタノブが通過溝の位置に到達し、第１係止部によるシャッタノブの係止が解除され、シャッタノブが通過溝を通過することとなる。そのため、ロータリシャッタが閉位置に戻った状態で、記録ディスクカートリッジを取り出すことができる。
【００１５】
また、本発明に係るドライブ装置の通過溝は、前記スロットドアの基端側から先端側に向って浅くなるとともに前記記録ディスクカートリッジの挿入時に前記シャッタノブを通過させる第１溝部と、前記記録ディスクカートリッジの取出時に前記シャッタノブを通過させる第２溝部と、を有し、前記スロットドアは、付勢手段によって起立方向に付勢されているとともに、前記第１溝部に前記シャッタノブが当接することで、前記記録ディスクカートリッジの挿入時に取出時よりも大きく傾倒することを特徴とする。
【００１６】
かかる構成によれば、記録ディスクカートリッジの挿入時にシャッタノブが第１溝部に侵入すると、第１溝部は前記スロットドアの基端側から先端側に向って浅くなるように形成されていることから、シャッタノブが第１溝部に当接してスロットドアが大きく傾倒する。これにより、シャッタノブが第１溝部を通過可能となる。シャッタノブが第１溝部を通過すると、スロットドアは付勢手段によって起立方向に付勢されていることから、スロットドアが起立方向に向かって復帰して傾倒の度合が小さくなる。そして、記録ディスクカートリッジの取出時には、スロットドアの傾倒の度合が小さくなっていることから、シャッタノブは第１溝部の先端面（より詳しくはスロットドアの先端面）に当接して摺動自在に係止される。第１溝部の先端面に摺動して第２溝部まで案内されたシャッタノブは、記録ディスクカートリッジの引き抜き動作にともなって第２溝部を通過することとなる。すなわち、かかる構成によれば、挿入時と取出時のシャッタノブの通過位置を異ならせることができる。そのため、例えば、シャッタノブの軌跡が、カートリッジの引抜方向に直交する方向において、ロータリシャッタが完全に閉まる前に第１溝部に対応する位置を一度通過するような軌跡である場合に、ロータリシャッタが閉まる前にシャッタノブが通過溝を通過してしまうことを防止することができる。
【００１７】
なお、第２溝部の基端側は、第２溝部の先端側よりも前記第１溝部寄りに位置しているのが好ましい。このようにすれば、第２溝部に侵入したシャッタノブが第２溝部に（より詳しくは第２溝部の側壁に）案内されて第１溝部寄りに移動（摺動）することとなる。そのため、ロータリシャッタを完全に閉じることができる。
【００１８】
また、本発明に係るドライブ装置のケーシングは、前記記録ディスクカートリッジの挿入時に前記シャッタノブを摺動自在に係止することで前記ロータリシャッタを開方向に回動させる第２係止部を有することを特徴とする。
【００１９】
かかる構成によれば、記録ディスクカートリッジの挿入時に、第２係止部によって、シャッタノブが係止される。そして、その状態で記録ディスクカートリッジを挿入することによって、第２係止部によってシャッタノブが押されて、ロータリシャッタが開方向に回動するとともに、第２係止部をシャッタノブが摺動する。これにより、カートリッジケースのケース開口が開き、記録ディスクメディアにアクセス可能となる。
【発明の効果】
【００２０】
本発明によれば、記録ディスクカートリッジの部品点数を削減することができる。
【発明を実施するための最良の形態】
【００２１】
次に、本発明の第１実施形態について、適宜図面を参照しながら説明する。参照する図面において、図１は、第１実施形態に係るドライブ装置を上方から見下ろした斜視図である。図２は、第１実施形態に係るドライブ装置の本体とスロットドアとを示した斜視図であり、（ａ）はスロットドアが起立した状態、（ｂ）はスロットドアが傾倒した状態をそれぞれ示している。
なお、図１中、ドライブ装置の外観は実線で示し、内部構造は破線で示している。そして、図１には、ドライブ装置に装着する記録ディスクカートリッジをドライブ装置とともに描いている。以下の説明において、前、後、左、右、上、及び下の方向は、図１中に記載した方向を基準とする。
【００２２】
まず、第１実施形態に係るドライブ装置についての説明に先立ち、ドライブ装置に装着されて使用される記録ディスクカートリッジについて簡単に説明する。
図１に示すように、記録ディスクカートリッジ１００は、カートリッジケース１１０と、このカートリッジケース１１０の内部に回動可能に配置されたロータリシャッタ１２０と、このロータリシャッタ１２０の内部に回転自在に配置された記録ディスクメディアＤＭとを主に備えて構成されている。
【００２３】
カートリッジケース１１０は、薄型の箱状体であって、ドライブ装置ＤのカートリッジスロットＤＳに挿入される側に、くさび状に切り欠かれたアクセス用開口部１１１を有している。このアクセス用開口部１１１を介して、後記するドライブ装置Ｄのヘッド５が記録ディスクメディアＤＭにアクセスすることとなる。
カートリッジケース１１０の下面には、その左側寄りに円弧状のガイド溝１１２が穿設されている。このガイド溝１１２は、後記するロータリシャッタ１２０のシャッタノブ１２２の軌道に沿うように所定の曲率で形成されている。
【００２４】
ロータリシャッタ１２０は、その外形が略円盤形状を有する中空構造体であって、カートリッジケース１１０のアクセス用開口部１１１と略同形状のくさび状の切欠部１２１を有している。このロータリシャッタ１２０は、記録ディスクメディアＭＤとカートリッジケース１１０との間に配置されているとともに、カートリッジケース１１０に回動自在に取り付けられている。そして、ロータリシャッタ１２０の下面には、シャッタノブ１２２が突設されている。このシャッタノブ１２２は、カートリッジケース１１０のガイド溝１１２を介して、記録ディスクカートリッジ１００の下面から突き出ている。なお、第１実施形態のシャッタノブ１２２は、図３に示すように、ロータリシャッタ１２０の回転中心Ｏを通り記録ディスクカートリッジ１００の挿入方向に直交する仮想線Ｋに対して、ほぼ同位置に設けられている。
【００２５】
図１に示す記録ディスクカートリッジ１００では、ドライブ装置Ｄに装着される前にあっては、ロータリシャッタ１２０が閉位置に配置される。つまり、ロータリシャッタ１２０の切欠部１２１とカートリッジケース１１０のアクセス用開口部１１１とがずれて配置される。このときシャッタノブ１２２は、カートリッジケース１１０のガイド溝１１２の後側に位置する。
そして、シャッタノブ１２２がガイド溝１１２内を前側に向かって円弧状の軌道を描きながら移動すると、この移動に伴って、ロータリシャッタ１２０は回動する。このようにロータリシャッタ１２０が回動してカートリッジケース１１０のアクセス用開口部１１１とロータリシャッタ１２０の切欠部１２１とが重なり合うことで、記録ディスクメディアＤＭが外部に臨むこととなる。つまり、ロータリシャッタ１２０は、開位置に配置される。このときシャッタノブ１２２は、カートリッジケース１１０のガイド溝１１２の前側に位置する。
【００２６】
また、記録ディスクカートリッジ１００がドライブ装置Ｄに装着される際には、後記するようにシャッタノブ１２２がガイド溝１１２内を前側に向かって円弧状の軌道を描きながら移動する。そして、この移動に伴って、ロータリシャッタ１２０が回動することでカートリッジケース１１０のアクセス用開口部１１１とロータリシャッタ１２０の切欠部１２１とが重なり合う。その結果、記録ディスクメディアＤＭが外部に臨むこととなる。つまり、ロータリシャッタ１２０は、開位置に配置されて、後記するドライブ装置Ｄのヘッド５が記録ディスクメディアＤＭにアクセス可能となる。このときシャッタノブ１２２は、カートリッジケース１１０のガイド溝１１２の前側に位置する。そして、後記するドライブ装置Ｄのスピンドルモータ３の回転軸４が記録ディスクメディアＤＭのチャック部（図示省略）に接続されることで、記録ディスクメディアＤＭが回転可能となる。
【００２７】
次に、第１実施形態に係るドライブ装置Ｄについて説明する。
図１に示すように、ドライブ装置Ｄは、平面視で矩形の薄型の箱状体であって、その前側に記録ディスクカートリッジ１００を受け入れる挿入口であるカートリッジスロットＤＳが形成されている。そして、ドライブ装置Ｄの後端には下面側に複数の端子９が設けられている。この端子９は、ドライブ装置Ｄが着脱自在に取り付けられた電子機器（図示省略）との間で電気的な接続を確立するものである。ドライブ装置Ｄは、この端子９を介して、記録ディスクメディアＤＭと、電子機器との間での情報の受け渡し、及び受け取りを行うこととなる。そして、この端子９を介してドライブ装置Ｄに電力が供給されることとなる。ちなみに、電子機器としては、ＣＰＵ（Central Processing Unit）やメモリを備えたものであれば特に制限はなく、例えば、パーソナルコンピュータ、プリンタ、複写機等の事務機器、デジタルカメラ、テレビ、録音装置、録画装置、冷蔵庫、電子レンジ等の家電製品が挙げられる。
【００２８】
このようなドライブ装置Ｄは、ケーシング１と、ドライブ装置Ｄに装着された記録ディスクメディアＤＭを高速回転させるスピンドルモータ３と、記録ディスクメディアＤＭに対する情報の記録及び再生を行うヘッド５と、このヘッド５を先端に取り付けるとともに支軸６周りに揺動してヘッド５を記録ディスクメディアＤＭの半径方向に移動させるスイングアームＳＡと、スイングアームＳＡを所定の揺動角で位置決めするアクチュエータ７と、カートリッジスロットＤＳを開閉するスロットドア１０と、を主に備えている。
【００２９】
ケーシング１は、ドライブ装置Ｄの略外形を構成しており、その内部に後記する各部品を格納する略直方体の収容空間２を有している。このケーシング１は、本体１ａと蓋体１ｂとから構成されている。
本体１ａは、上方に開口した前記収容空間２を形成するものである。蓋体１ｂは、本体１ａの開口を覆うように組み付けられるものである。
本体１ａは、その前側に後記するスロットドア１０を取り付けるための取り付け部１ｃを有している（図２参照）。取り付け部１ｃは、収容空間２の底面２ａよりも一段低くなっており、この取り付け部１ｃと収容空間２の底面２ａとの段差を利用して、後記する第２係止部２０が形成されている。
【００３０】
スピンドルモータ３は、本体１ａの底面であって、ドライブ装置Ｄに装着された記録ディスクカートリッジ１００の記録ディスクメディアＤＭと対応する位置に配置されている。このスピンドルモータ３の回転軸４は、前記した記録ディスクメディアＤＭのチャック部（図示省略）と接続するようになっている。
【００３１】
スイングアームＳＡは、本体１ａの底面に対して略平行となるように支軸６から延びている。このスイングアームＳＡは一対で構成されており、各スイングアームＳＡは、上下方向に所定の間隔を空けてスタックされている。このようなスイングアームＳＡのそれぞれの先端には、前記したようにヘッド５が取り付けられている。そして、各スイングアームＳＡは、装着された記録ディスクカートリッジ１００に向かって揺動した際に、記録ディスクカートリッジ１００のアクセス用開口部１１１で臨む記録ディスクメディアＤＭを挟み込むことで、各ヘッド５を記録ディスクメディアＤＭの表裏にアクセスさせるようになっている。
【００３２】
アクチュエータ７は、ボイスコイルモータで構成されており、スイングアームＳＡを支軸６周りに揺動させることで、ヘッド５を記録ディスクメディアＤＭの所定の位置に位置決めするようになっている。ちなみに、アクチュエータ７は、ドライブ装置Ｄに記録ディスクカートリッジ１００が装着されていない場合に、スイングアームＳＡをランプ部８に待機させている。
【００３３】
スロットドア１０は、記録ディスクカートリッジ１００の非挿入時にカートリッジスロットＤＳを塞ぐためのドアである。スロットドア１０は、図１に示すように、挿入口であるカートリッジスロットＤＳ内に配置されており、カートリッジスロットＤＳの形状に対応して左右方向に細長い矩形状を呈している。スロットドア１０は、その先端面１０ｂ（図２参照）の左側に、第１係止部１１を有している。さらに、スロットドア１０は、その前面１０ｃ（図２参照）の左側に、通過溝１３を有している。
【００３４】
図２は、第１実施形態に係るドライブ装置の本体１ａとスロットドア１０とを示した斜視図であり、（ａ）はスロットドアが起立した状態、（ｂ）はスロットドアが傾倒した状態をそれぞれ示している。
スロットドア１０は、図２（ａ），（ｂ）に示すように、その基端側に設けられた回転軸１０ａを本体１ａに軸支されており、起立・傾倒可能になっている。スロットドア１０は、図示しない付勢手段によって起立方向に付勢されている。スロットドア１０は、起立したときにカートリッジスロットＤＳをほぼ塞ぐ高さ寸法を有するとともに、傾倒したときにスロットドアの前面１０ｃが収容空間２の底面２ａとほぼ面一になる厚さ寸法を有している。
【００３５】
第１係止部１１は、記録ディスクカートリッジ１００の取出時にシャッタノブ１２２を係止する部分である。第１係止部１１は、図２（ａ）に示すように、スロットドア１０の先端面１０ｂの一部をほぼ円弧状に凹ませて平滑に形成した面であり、シャッタノブ１２２と摺動可能になっている。第１係止部１１は、ロータリシャッタ１２０が回動したときのシャッタノブ１２２の軌跡の左右方向の幅に対応する範囲に形成されている。第１係止部１１は、図２（ｂ）に示すように、スロットドア１０が傾倒したときに、記録ディスクカートリッジ１００の底面に対して直交する向きになることで、シャッタノブ１２２と当接（係止）するようになっている。
【００３６】
通過溝１３は、記録ディスクカートリッジ１００の挿入時又は取出時にシャッタノブ１２２が通過する溝である。通過溝１３は、ロータリシャッタが閉じた状態でシャッタノブ１２２が通過するように、ロータリシャッタ１２０が閉位置にあるときのシャッタノブ１２２に対応する位置に形成されている。第１実施形態においては、通過溝１３は、図２（ａ），（ｂ）に示すように、スロットドア１０の左端部に形成されている。通過溝１３は、スロットドア１０の前面１０ｃに対して、カートリッジケース１１０の底面からのシャッタノブ１２２の突出寸法以上の深さ寸法を有している。
【００３７】
第２係止部２０は、記録ディスクカートリッジ１００の挿入時にシャッタノブ１２２を係止する部分である。第２係止部２０は、図２（ａ），（ｂ）に示すように、本体１ａに設けられた収容空間２の底面２ａと取り付け部１ｃとの段差を加工して平滑に形成した平面視ほぼ円弧状の面であり、シャッタノブ１２２と摺動可能になっている。第２係止部２０は、第１係止部１１と同様に、ロータリシャッタ１２０が回動したときのシャッタノブ１２２の軌跡の左右方向の幅に対応する範囲に形成されている。第２係止部２０は、スロットドア１０が傾倒したときに、第１係止部１１と対向する位置に形成されている。
【００３８】
つづいて、ドライブ装置Ｄの動作について、図３乃至図１０を参照して説明する。
図３乃至図６は、第１実施形態に係るドライブ装置に記録ディスクカートリッジが挿入される状態を示す平面図である。図７は、第１実施形態に係るドライブ装置に記録ディスクカートリッジが装着された状態を示す平面図である。図８乃至図１０は、第１実施形態に係るドライブ装置から記録ディスクカートリッジが取り出される状態を示す平面図である。図３乃至図１０中、記録ディスクカートリッジは２点鎖線で示し、ドライブ装置の蓋体は省略する。
【００３９】
はじめに、記録ディスクカートリッジ１００をドライブ装置Ｄに挿入する場合について説明する。
図３に示すように、記録ディスクカートリッジ１００をカートリッジスロットＤＳに挿入する前の状態では、スロットドア１０が起立することによって、カートリッジスロットＤＳが塞がれている。また、記録ディスクカートリッジ１００のロータリシャッタ１２０は閉位置にあって、アクセス用開口部１１１は閉じられている。このとき、シャッタノブ１２２は、ガイド溝１１２の後端１１２ａ（ドライブ装置Ｄ側）に位置している。
【００４０】
そして、記録ディスクカートリッジ１００をスロットドア１０に当接させ、ドライブ装置Ｄに向かって移動させると（矢印Ａ１参照）、スロットドア１０は、記録ディスクカートリッジ１００のカートリッジケース１１０に押されて傾倒する。これにより、スロットドア１０の第１係止部１１が、カートリッジケース１１０の底面に直交する向きに配置される。そして、記録ディスクカートリッジ１００をドライブ装置Ｄに向かってさらに移動させることで、記録ディスクカートリッジ１００がカートリッジスロットＤＳに挿入される。このとき、ロータリシャッタ１２０は閉位置のままである。
【００４１】
図４に示すように、スロットドア１０の通過溝１３は、ロータリシャッタ１２０が閉位置にあるときのシャッタノブ１２２に対応する位置に設けられているので、記録ディスクカートリッジ１００をカートリッジスロットＤＳに挿入していくと、シャッタノブ１２２が通過溝１３を通過することとなる。
【００４２】
図５に示すように、さらに記録ディスクカートリッジ１００をカートリッジスロットＤＳに挿入していくと、シャッタノブ１２２が第２係止部２０の左端２０ａに当接する。
【００４３】
そして、図６に示すように、シャッタノブ１２２が第２係止部２０の左端２０ａに当接した状態で、さらに記録ディスクカートリッジ１００をカートリッジスロットＤＳに挿入していくと、ロータリシャッタ１２０はカートリッジケース１１０に回動自在に固定されていることから、シャッタノブ１２２が第２係止部２０に押されて、円弧状の軌道に沿ってガイド溝１１２内を前側に向かって回動するとともに、ロータリシャッタ１２０が開方向に回動する（矢印Ｃ１）。これにより、アクセス用開口部１１１が開き始める。このとき、シャッタノブ１２２は、第２係止部２０と摺動しながら右側に移動する（矢印Ｂ１）。
なお、第２係止部２０が円弧状の凸面に形成されているので、シャッタノブ１２２を右側に移動させる分力が生じ易い。そのため、記録ディスクカートリッジ１００の挿入とロータリシャッタ１２０の回転をスムーズに連動させることができる。
【００４４】
図７に示すように、記録ディスクカートリッジ１００が所定の位置まで挿入されると、シャッタノブ１２２は、第２係止部２０と摺動しながら右端２０ｂまで移動する。これに伴い、ロータリシャッタ１２０が開方向に回動してアクセス用開口部１１１を全開する。これにより、スイングアームＳＡを揺動させてヘッド５を記録ディスクメディアＤＭにアクセスさせることが可能になる。
【００４５】
このとき、記録ディスクカートリッジ１００は、ドライブ装置Ｄの収容空間２に収容されているとともに、シャッタノブ１２２は、ガイド溝の前端１１２ｂに位置している。また、スロットドア１０は、その前面１０ｃがカートリッジケース１１０の底面に当接しており、傾倒した状態のままになっている。
【００４６】
つぎに、記録ディスクカートリッジ１００をドライブ装置Ｄから取り出す場合について説明する。
図８に示すように、記録ディスクカートリッジ１００をカートリッジスロットＤＳから引き抜く操作を開始すると（矢印Ａ２）、シャッタノブ１２２が、第２係止部２０と対向する状態にある第１係止部１１の右端１１ａに当接する（矢印Ｂ２）。
【００４７】
そして、図９に示すように、シャッタノブ１２２が第１係止部１１の右端１１ａに当接した状態で、さらに記録ディスクカートリッジ１００をカートリッジスロットＤＳから引き抜くと、ロータリシャッタ１２０はカートリッジケース１１０に回動自在に固定されていることから、シャッタノブ１２２が第１係止部１１に押されて、円弧状の軌道に沿ってガイド溝１１２内を後側に向かって回動するとともに、ロータリシャッタ１２０が閉方向に回動する（矢印Ｃ２）。これにより、アクセス用開口部１１１が閉まり始める。このとき、シャッタノブ１２２は、第１係止部１１と摺動しながら左側に移動する（矢印Ｂ３）。
なお、第１係止部１１が円弧状の凹面に形成されているので、シャッタノブ１２２を左側に移動させる分力が生じ易い。そのため、記録ディスクカートリッジ１００の引き抜きとロータリシャッタ１２０の回転をスムーズに連動させることができる。
【００４８】
図１０に示すように、記録ディスクカートリッジ１００が所定の位置まで引き抜かれると、シャッタノブ１２２が第１係止部１１に押されてガイド溝１１２の後端１１２ａまで回動するのに伴い、ロータリシャッタ１２０が閉方向に回動してアクセス用開口部１１１を閉じる。このとき、シャッタノブ１２２は、第１係止部１１と摺動しながら通過溝１３まで移動する（矢印Ｂ３）。通過溝１３は、ロータリシャッタ１２０が閉位置にあるときのシャッタノブ１２２に対応する位置に形成されていることから、シャッタノブ１２２は、アクセス用開口部１１１が必ず閉じられた状態で通過溝１３を通過することとなる。
【００４９】
そして、記録ディスクカートリッジ１００をカートリッジスロットＤＳから完全に引き抜くと、カートリッジケース１１０に当接して傾倒していたスロットドア１０が付勢手段によって起立させられて、カートリッジスロットＤＳが塞がれることとなる（図３参照）。
【００５０】
以上のように、第１実施形態に係るドライブ装置Ｄによれば、スロットドア１０に形成した第１係止部１１によってシャッタノブ１２２を摺動可能に係止することで、ロータリシャッタ１２０を回動させてアクセス用開口部１１１を閉じることができる。そのため、記録ディスクカートリッジ１００に、ロータリシャッタ１２０を閉方向に付勢する付勢手段を設ける必要がなく、記録ディスクカートリッジ１００の部品点数を削減することができる。また、ドライブ装置Ｄのスロットドア１０を利用して第１係止部１１が形成されているので、ドライブ装置Ｄの部品点数も増加することがない。
【００５１】
つづいて、本発明の第２実施形態について説明する。説明において、第１実施形態と同一の要素には同一の符号を付し、重複する説明は省略する。図１１は、第２実施形態に係るドライブ装置を上方から見下ろした斜視図である。図１２は、第２実施形態に係るドライブ装置のスロットドアを説明するための図面であり、（ａ）はスロットドアの分解斜視図、（ｂ）及び（ｃ）は（ａ）のＩ−Ｉ断面図、（ｄ）は（ａ）のII−II断面図である。図１３は、第２実施形態に係るドライブ装置の本体とスロットドアとを示した斜視図であり、（ａ）はスロットドアが起立した状態、（ｂ）はスロットドアが傾倒した状態、（ｃ）は（ｂ）のIII−III断面図、をそれぞれ示している。
なお、図１１中、ドライブ装置の外観は実線で示し、内部構造は破線で示している。そして、図１１には、ドライブ装置に装着する記録ディスクカートリッジをドライブ装置とともに描いている。以下の説明において、前、後、左、右、上、及び下の方向は、図１中に記載した方向を基準とする。
まず、第２実施形態に係るドライブ装置についての説明に先立ち、このドライブ装置に装着されて使用される記録ディスクカートリッジについて簡単に説明する。
【００５２】
図１１に示すように、第２実施形態に係るドライブ装置Ｄに使用される記録ディスクカートリッジ１００は、第１実施形態に係るドライブ装置Ｄに使用される記録ディスクカートリッジ１００（図１参照）と比較して、シャッタノブ１２２の回動範囲及びガイド溝１１２の形成されている範囲が異なっている。
【００５３】
さらに詳しくは、図１４に示すように、第２実施形態のシャッタノブ１２２は、ロータリシャッタ１２０が閉位置にある状態で、ロータリシャッタ１２０の回転中心Ｏを通り記録ディスクカートリッジ１００の挿入方向に直交する仮想線Ｋに対して長さ寸法Ｌだけ後方（ドライブ装置Ｄ側）に位置している。そのため、シャッタノブ１２２は、第１実施形態と比較して、後寄り、かつ、左寄りの範囲を回動することとなる。
これに伴い、第２実施形態のガイド溝１１２も、第１実施形態と比較して、後寄り、かつ、左寄りの範囲に形成されている。このように、シャッタノブ１２２の回動範囲が、第１実施形態に比べて後寄り、かつ、左寄りになったことで、記録ディスクカートリッジ１００の挿入／取出方向（前後方向）に対するシャッタノブ１２２の移動方向の傾き（角度）が小さくなり、記録ディスクカートリッジ１００の挿入／取出動作とロータリシャッタ１２０の回転動作とをスムーズに連動させることができる。
【００５４】
なお、シャッタノブ１２２の回動範囲を前記のように設定すると、仮想線Ｋから長さ寸法Ｌだけ前側の位置Ｐ（図１４参照）にシャッタノブ１２２が到達したときの左右方向の位置と、ロータリシャッタ１２０が閉位置にあるときのシャッタノブ１２２の左右方向の位置と、が一致する（図１４、符号ｗ１参照）。
第２実施形態に係るドライブ装置Ｄは、このような記録ディスクカートリッジ１００に対して好適に使用されるものである。
【００５５】
次に、第２実施形態に係るドライブ装置Ｄについて説明する。
第２実施形態に係るドライブ装置は、第１係止部及び第２係止部の形状、並びに、通過溝の構造が、第１実施形態に係るドライブ装置と異なっている。
以下の説明では、スロットドア３０、第１係止部４０、通過溝５０及び第２係止部６０について詳細に説明し、ドライブ装置Ｄの他の構成については第１実施形態と同様であるため、詳細な説明を省略する。
【００５６】
第２実施形態に係るドライブ装置Ｄは、図１１に示すように、ケーシング１と、ドライブ装置Ｄに装着された記録ディスクメディアＤＭを高速回転させるスピンドルモータ３と、記録ディスクメディアＤＭに対する情報の記録及び再生を行うヘッド５と、このヘッド５を先端に取り付けるとともに支軸６周りに揺動してヘッド５を記録ディスクメディアＤＭの半径方向に移動させるスイングアームＳＡと、スイングアームＳＡを所定の揺動角で位置決めするアクチュエータ７と、カートリッジスロットＤＳを開閉するスロットドア３０と、記録ディスクカートリッジ１００の挿入／取出時にシャッタノブを係止する第１係止部４０及び第２係止部６０と、スロットドア３０に設けられた通過溝５０と、を主に備えている。
【００５７】
スロットドア３０は、記録ディスクカートリッジ１００の非挿入時にカートリッジスロットＤＳを塞ぐためのドアである。スロットドア３０は、図１１に示すように、挿入口であるカートリッジスロットＤＳ内に配置されており、カートリッジスロットＤＳの形状に対応して左右方向に細長い矩形状を呈している。スロットドア３０は、その先端面の左側に、第１係止部４０を有している。さらに、スロットドア３０は、その前面の左側に、通過溝５０を有している。
【００５８】
スロットドア３０は、図１２（ａ），（ｂ），（ｃ）に示すように、ブラケット７０を介して、本体１ａの取り付け部１ｃに起立・傾倒可能に取り付けられている。
さらに詳しく説明すると、スロットドア３０は、図１２（ａ）に示すように、その基端面の右側と左側に回転軸３１ａ，３１ｂを有している。また、ブラケット７０は、平板状の部材であり、スロットドア３０の回転軸３１ａ，３１ｂに対応する位置に、半円筒状の軸受７１ａ，７１ｂを有している。スロットドア３０は、本体１ａに取り付けられたブラケット７０の軸受７１ａ，７１ｂに回転軸３１ａ，３１ｂを軸支されることで、起立・傾倒可能になっている。スロットドア３０は、図１２（ｂ）に示すように、起立したときにカートリッジスロットＤＳをほぼ塞ぐ高さ寸法を有している。また、スロットドア３０は、図１２（ｃ）に示すように、カートリッジスロットＤＳに記録ディスクカートリッジ１００が挿入されることにより、記録ディスクカートリッジ１００の底面に当接して傾倒するようになっている。このとき、スロットドア３０と取り付け部１ｃとの間には隙間Ｍが残るようになっている。すなわち、スロットドア３０は、この隙間Ｍの分だけ余分に倒れること（オーバーストローク）ができるようになっている。
【００５９】
また、スロットドア３０は、図１２（ａ），（ｄ）に示すように、回転軸３１ａの近傍にばね受けピン３２を備えており、当該ばね受けピン３２には、トーションばねＳ１が設置されている。このトーションばねＳ１の一端側はスロットドア３０の背面に固定されており、トーションばねＳ１の他端側は本体１ａ（取り付け部１ｃ）に固定されている。これにより、スロットドア３０は、トーションばねＳ１によって起立方向に付勢される。なお、本体１ａの前端には押さえ壁１ｄが立設されており、スロットドア３０が前側に倒れ過ぎないように押さえている。
【００６０】
第１係止部４０は、記録ディスクカートリッジ１００の取出時にシャッタノブ１２２を係止する部分である。第１係止部４０は、図１３（ａ），（ｂ）に示すように、スロットドア３０の先端面の一部であり、シャッタノブ１２２と摺動可能なように平滑に形成されている。第１係止部４０は、ロータリシャッタ１２０が回動したときのシャッタノブ１２２の軌跡の左右方向の幅Ｗ（図１４参照）に対応する範囲に形成されている。第１係止部４０は、図１３（ｂ），（ｃ）に示すように、スロットドア３０が傾倒することで、シャッタノブ１２２と当接（係止）するようになっている。
【００６１】
なお、第２実施形態では、シャッタノブ１２２の回動範囲が、第１実施形態に比べて後寄り、かつ、左寄りになっているので、記録ディスクカートリッジ１００の挿入／取出方向（前後方向）に対するシャッタノブ１２２の移動方向の傾き（角度）が小さい。そのため、第１係止部４０を円弧状に湾曲させなくても、記録ディスクカートリッジ１００の挿入／取出動作とロータリシャッタ１２０の回転動作とをスムーズに連動させることができる。
【００６２】
通過溝５０は、記録ディスクカートリッジ１００の挿入時又は取出時にシャッタノブ１２２が通過する溝である。通過溝５０は、図１３（ａ），（ｂ），（ｃ）に示すように、記録ディスクカートリッジ１００の挿入時にシャッタノブ１２２が通過する第１溝部５１と、記録ディスクカートリッジ１００の取出時にシャッタノブ１２２が通過する第２溝部５２とを備えている。
【００６３】
第１溝部５１は、ロータリシャッタ１２０が閉位置にあるときのシャッタノブ１２２に対応する位置に形成されている。また、第１溝部５１は、図１３（ｃ）に示すように、スロットドア３０の基端側から先端側に向かうにつれて、徐々に浅くなっている。つまり、第１溝部５１は、シャッタノブ１２２が第１溝部５１に当接してスロットドア３０がさらに倒れる（オーバーストロークする）ことによって、シャッタノブ１２２を通過させるようになっている。また、第１溝部５１の先端面５１ａは、第１係止部４０とほぼ面一になっており、記録ディスクカートリッジ１００の取出時に、シャッタノブ１２２を係止できるようになっている。つまり、第１溝部５１の先端面５１ａは、特許請求の範囲にいう「第１係止部」の一部を構成している。
【００６４】
第２溝部５２は、記録ディスクカートリッジ１００の挿入／取出方向（前後方向）に対して傾斜している。詳しくは、図１３（ａ）に示すように、第２溝部５２の基端側は、第１溝部５１の基端側と共通しており、ロータリシャッタ１２０が閉位置にあるときのシャッタノブ１２２に対応する位置に形成されている。一方、第２溝部５２の先端側は、第１溝部５１の先端面５１ａからスロットドア３０の左端にわたって形成されている。このように形成されることで、第２溝部５２の側壁５２ａは、記録ディスクカートリッジ１００の取出時に、図１４に示す位置Ｐからガイド溝１１２の後端１１２ａまでの範囲に位置するシャッタノブ１２２に対して当接可能になっている。つまり、第２溝部５２の側壁５２ａは、特許請求の範囲にいう「第１係止部」の一部を構成している。また、第２溝部５２は、図１３（ｃ）に示すように、スロットドア３０が記録ディスクカートリッジ１００の底面に当接して傾倒した状態で、シャッタノブ１２２を通過させることができる深さに形成されている。
【００６５】
第２係止部６０は、記録ディスクカートリッジ１００の挿入時にシャッタノブ１２２を係止する部分である。第２係止部２０は、図１３（ａ），（ｂ），（ｃ）に示すように、本体１ａに設けられた収容空間２の底面２ａと取り付け部１ｃとの段差を加工して平滑に形成した壁面であり、シャッタノブ１２２と摺動可能になっている。第２係止部６０は、第１係止部４０と同様に、ロータリシャッタ１２０が回動したときのシャッタノブ１２２の軌跡の左右方向の幅Ｗ（図１４参照）に対応する範囲に形成されている。
【００６６】
なお、第２実施形態では、シャッタノブ１２２の回動範囲が、第１実施形態に比べて後寄り、かつ、左寄りになっているので、記録ディスクカートリッジ１００の挿入／取出方向（前後方向）に対するシャッタノブ１２２の移動方向の傾き（角度）が小さい。そのため、第２係止部６０を円弧状に湾曲させなくても、記録ディスクカートリッジ１００の挿入／取出動作とロータリシャッタ１２０の回転動作とをスムーズに連動させることができる。
【００６７】
つづいて、ドライブ装置Ｄの動作について、図１４乃至図２４を参照して説明する。
図１４乃至図１８は、第２実施形態に係るドライブ装置に記録ディスクカートリッジが挿入される状態を示す平面図である。図１９は、第２実施形態に係るドライブ装置に記録ディスクカートリッジが装着された状態を示す平面図である。図２０乃至図２４は、第２実施形態に係るドライブ装置から記録ディスクカートリッジが取り出される状態を示す平面図である。図１４乃至図２４中、記録ディスクカートリッジは２点鎖線で示し、ドライブ装置の蓋体は省略する。
【００６８】
はじめに、記録ディスクカートリッジ１００をドライブ装置Ｄに挿入する場合について説明する。
図１４に示すように、記録ディスクカートリッジ１００をカートリッジスロットＤＳに挿入する前の状態では、スロットドア３０が起立することによって、カートリッジスロットＤＳが塞がれている。また、記録ディスクカートリッジ１００のロータリシャッタ１２０は閉位置にあって、アクセス用開口部１１１は閉じられている。このとき、シャッタノブ１２２は、ガイド溝１１２の後端１１２ａ（ドライブ装置Ｄ側）に位置している。
【００６９】
そして、記録ディスクカートリッジ１００をスロットドア３０に当接させ、ドライブ装置Ｄに向かって移動させると（矢印Ｅ１参照）、スロットドア３０は、記録ディスクカートリッジ１００のカートリッジケース１１０に押されて傾倒する。これにより、スロットドア３０の第１係止部４０が、カートリッジケース１１０の底面にほぼ直交する向きに配置される。そして、記録ディスクカートリッジをドライブ装置Ｄに向かってさらに移動させることで、記録ディスクカートリッジ１００がカートリッジスロットＤＳに挿入される。このとき、ロータリシャッタ１２０は閉位置のままである。
【００７０】
図１５（ａ），（ｂ）に示すように、スロットドア３０に設けられた通過溝５０（第１溝部５１及び第２溝部５２）の基端側は、ロータリシャッタ１２０が閉位置にあるときのシャッタノブ１２２に対応する位置に設けられているので、記録ディスクカートリッジ１００をカートリッジスロットＤＳに挿入していくと、シャッタノブ１２２が通過溝５０に侵入することとなる。
【００７１】
図１６（ａ）に示すように、さらに記録ディスクカートリッジ１００をドライブ装置Ｄに挿入していくと、シャッタノブ１２２が通過溝５０の第１溝部５１に当接する。第１溝部５１は先端側に行くほど浅く形成されていることから、スロットドア３０は、シャッタノブ１２２に押されて大きく倒れることとなる（図１６（ｂ）矢印Ｆ１参照）。
【００７２】
図１７（ａ）に示すように、さらに記録ディスクカートリッジ１００をドライブ装置Ｄに挿入していくと、シャッタノブ１２２は、第１溝部５１を通過して、第２係止部６０に当接する。このとき、スロットドア３０は、トーションばねＳ１（図１２参照）によって起立方向に付勢されているので、起立方向に復帰するとともに（図１７（ｂ）矢印Ｆ２参照）、記録ディスクカートリッジ１００の底面に当接した状態で係止されることとなる。
【００７３】
そして、図１８に示すように、シャッタノブ１２２が第２係止部６０に当接した状態で、さらに記録ディスクカートリッジ１００をドライブ装置Ｄに挿入していくと、ロータリシャッタ１２０はカートリッジケース１１０に回動自在に固定されていることから、シャッタノブ１２２が第２係止部６０に押されて前側に回動するのに伴い、ロータリシャッタ１２０が開方向に回動する（矢印Ｈ１）。これにより、アクセス用開口部１１１が開き始める。このとき、シャッタノブ１２２は第２係止部６０と摺動しながら左側に移動する（矢印Ｇ１）。
なお、シャッタノブ１２２は、はじめは第２係止部６０と摺動しながら左側に移動するが、仮想線Ｋ（図１４参照）を過ぎると、第２係止部６０と摺動しながら右側に移動する。
【００７４】
図１９に示すように、記録ディスクカートリッジ１００が所定の位置まで挿入されると、シャッタノブ１２２は、第２係止部６０に押されてガイド溝１１２の前端１１２ｂまで回動する。このとき、シャッタノブ１２２は、第２係止部６０と摺動しながら右端まで移動する。これに伴い、ロータリシャッタ１２０が開方向に回動してアクセス用開口部１１１を全開にする。これにより、スイングアームＳＡを揺動させてヘッド５を記録ディスクメディアＤＭにアクセスさせることが可能になる（図１１参照）。
【００７５】
このとき、記録ディスクカートリッジ１００は、ドライブ装置Ｄの収容空間２に収容されているとともに、シャッタノブ１２２は、ガイド溝の前端１１２ｂに位置している。また、スロットドア３０は、その前面がカートリッジケース１１０の底面に当接しており、傾倒した状態のままになっている。
【００７６】
つぎに、記録ディスクカートリッジ１００をドライブ装置Ｄから取り出す場合について説明する。
図２０（ａ），（ｂ）に示すように、記録ディスクカートリッジ１００をドライブ装置Ｄから引き抜く操作を開始すると（矢印Ｅ２）、シャッタノブ１２２が、第２係止部６０と対向する状態にある第１係止部４０の右端に当接する（矢印Ｇ２）。
【００７７】
図２１（ａ）に示すように、シャッタノブ１２２が第１係止部４０の右端に当接した状態で、さらに記録ディスクカートリッジ１００をドライブ装置Ｄから引き抜くと、ロータリシャッタ１２０はカートリッジケース１１０に回動自在に固定されていることから、シャッタノブ１２２が第１係止部４０に押されて後側に回動するのに伴い、ロータリシャッタ１２０が閉方向に回動する（矢印Ｈ２）。これにより、アクセス用開口部１１１が閉まり始める。このとき、シャッタノブ１２２は、第１係止部４０と摺動しながら左側に移動する（矢印Ｇ３）。
そして、シャッタノブ１２２が第１溝部５１に到達すると、図２１（ｂ）に示すように、スロットドア３０が記録ディスクカートリッジ１００の底面に当接する位置まで復帰していることから、シャッタノブ１２２は、第１溝部５１の先端面５１ａに当接することとなる。これにより、シャッタノブ１２２は、記録ディスクカートリッジ１００の抜き出しに伴って、第１溝部５１の先端面５１ａと摺動しながら第２溝部５２まで案内されることとなる。
【００７８】
図２２（ａ），（ｂ）に示すように、シャッタノブ１２２が第２溝部５２に対応する位置まで到達すると、第２溝部５２はスロットドア３０が記録ディスクカートリッジ１００の底面に当接した状態でシャッタノブ１２２が通過可能な深さに形成されていることから、シャッタノブ１２２が第２溝部５２に侵入する（矢印Ｇ４）。ここで、第２溝部５２の基端側は第１溝部５１の基端側と共通していることから、第１溝部５１を通過して第２溝部５２に侵入したシャッタノブ１２２は、第２溝部５２の側壁５２ａに当接することとなる。
【００７９】
図２３に示すように、シャッタノブ１２２が第２溝部５２の側壁５２ａに当接した状態で、記録ディスクカートリッジ１００をカートリッジスロットＤＳから引き抜くと、シャッタノブ１２２は、側壁５２ａと摺動しながら左側に向かって移動する（矢印Ｇ５）。
【００８０】
そして、シャッタノブ１２２が仮想線Ｋ（図１４参照）を過ぎると、図２４に示すように、側壁５２ａと摺動しながら右側に向かって移動し（矢印Ｇ６）、第２溝部５２の基端側からカートリッジスロットＤＳの外部に出る。このとき、シャッタノブ１２２はガイド溝１１２の後端に位置しており、ロータリシャッタ１２０によってアクセス用開口部１１１が閉じられることとなる。
【００８１】
そして、記録ディスクカートリッジ１００をドライブ装置Ｄから完全に引き抜くと、カートリッジケース１１０に当接して傾倒していたスロットドア３０がトーションばねＳ１（図１２参照）によって起立させられて、カートリッジスロットＤＳが塞がれることとなる（図１４参照）。
【００８２】
以上のように、第２実施形態に係るドライブ装置Ｄによれば、スロットドア３０に形成した第１係止部４０によってシャッタノブ１２２を摺動可能に係止することで、ロータリシャッタ１２０を回動させてアクセス用開口部１１１を閉じることができる。そのため、記録ディスクカートリッジ１００に、ロータリシャッタ１２０を閉方向に付勢する付勢手段を設ける必要がなく、記録ディスクカートリッジ１００の部品点数を削減することができる。また、ドライブ装置Ｄのスロットドア３０を利用して第１係止部４０が形成されているので、ドライブ装置Ｄの部品点数も増加することがない。
【００８３】
また、第２実施形態に係るドライブ装置Ｄによれば、図２５に示すように、シャッタノブ１２２は、挿入時に第１溝部５１を通過（矢印ＧＡ）し、取出時に第２溝部５２を通過（矢印ＧＢ）する。つまり、記録ディスクカートリッジ１００の取出時にシャッタノブ１２２が第１溝部５１を通過しないようにするこができるので、図１４に示すように、ロータリシャッタ１２０が閉位置にあるときのシャッタノブ１２２の位置を、仮想線Ｋよりも後側（ドライブ装置側）にすることができる。そのため、記録ディスクカートリッジ１００の挿入／取出動作とロータリシャッタ１２０の回転動作とをスムーズに連動させることができる。
【００８４】
以上、本発明の好適な実施形態について図面を参照して詳細に説明したが、本発明はこれらの実施形態に限定されるものではなく、本発明の主旨を逸脱しない範囲で適宜変更することができる。
【００８５】
例えば、記録ディスクメディアの種類は、限定されるものではなく、磁気ディスクメディア、光記録ディスクメディア、相変化ディスクメディアなど、どのようなものでもよい。
【図面の簡単な説明】
【００８６】
【図１】第１実施形態に係るドライブ装置を上方から見下ろした斜視図である。
【図２】第１実施形態に係るドライブ装置の本体とスロットドアとを示した斜視図であり、（ａ）はスロットドアが起立した状態、（ｂ）はスロットドアが傾倒した状態をそれぞれ示している。
【図３】第１実施形態に係るドライブ装置に記録ディスクカートリッジが挿入される状態を示す平面図である。
【図４】第１実施形態に係るドライブ装置に記録ディスクカートリッジが挿入される状態を示す平面図である。
【図５】第１実施形態に係るドライブ装置に記録ディスクカートリッジが挿入される状態を示す平面図である。
【図６】第１実施形態に係るドライブ装置に記録ディスクカートリッジが挿入される状態を示す平面図である。
【図７】第１実施形態に係るドライブ装置に記録ディスクカートリッジが装着された状態を示す平面図である。
【図８】第１実施形態に係るドライブ装置から記録ディスクカートリッジが取り出される状態を示す平面図である。
【図９】第１実施形態に係るドライブ装置から記録ディスクカートリッジが取り出される状態を示す平面図である。
【図１０】第１実施形態に係るドライブ装置から記録ディスクカートリッジが取り出される状態を示す平面図である。
【図１１】第２実施形態に係るドライブ装置を上方から見下ろした斜視図である。
【図１２】第２実施形態に係るドライブ装置のスロットドアを説明するための図面であり、（ａ）はスロットドアの分解斜視図、（ｂ）及び（ｃ）は（ａ）のＩ−Ｉ断面図、（ｄ）は（ａ）のII−II断面図である。
【図１３】第２実施形態に係るドライブ装置の本体とスロットドアとを示した斜視図であり、（ａ）はスロットドアが起立した状態、（ｂ）はスロットドアが傾倒した状態、（ｃ）は（ｂ）のIII−III断面図、をそれぞれ示している。
【図１４】第２実施形態に係るドライブ装置に記録ディスクカートリッジが挿入される状態を示す平面図である。
【図１５】第２実施形態に係るドライブ装置に記録ディスクカートリッジが挿入される状態を示す図面であり、（ａ）は平面図、（ｂ）は断面図である。
【図１６】第２実施形態に係るドライブ装置に記録ディスクカートリッジが挿入される状態を示す図面であり、（ａ）は平面図、（ｂ）は断面図である。
【図１７】第２実施形態に係るドライブ装置に記録ディスクカートリッジが挿入される状態を示す図面であり、（ａ）は平面図、（ｂ）は断面図である。
【図１８】第２実施形態に係るドライブ装置に記録ディスクカートリッジが挿入される状態を示す平面図である。
【図１９】第２実施形態に係るドライブ装置に記録ディスクカートリッジが装着された状態を示す平面図である。
【図２０】第２実施形態に係るドライブ装置から記録ディスクカートリッジが取り出される状態を示す図面であり、（ａ）は平面図、（ｂ）は断面図である。
【図２１】第２実施形態に係るドライブ装置から記録ディスクカートリッジが取り出される状態を示す図面であり、（ａ）は平面図、（ｂ）は断面図である。
【図２２】第２実施形態に係るドライブ装置から記録ディスクカートリッジが取り出される状態を示す図面であり、（ａ）は平面図、（ｂ）は断面図である。
【図２３】第２実施形態に係るドライブ装置から記録ディスクカートリッジが取り出される状態を示す平面図である。
【図２４】第２実施形態に係るドライブ装置から記録ディスクカートリッジが取り出される状態を示す平面図である。
【図２５】第２実施形態に係るドライブ装置と摺動するシャッタノブの軌跡を示した平面図である。
【図２６】従来の記録ディスクカートリッジ及びドライブ装置をその下方から見上げた斜視図である。
【符号の説明】
【００８７】
１      ケーシング
１０，３０    スロットドア
１１，４０    第１係止部
１３，５０    通過溝
２０，６０    第２係止部
１００  記録ディスクカートリッジ
Ｄ      ドライブ装置
ＤＳ    カートリッジスロット（挿入口）
【図１】
2007172679.tif 000003
【図２】
2007172679.tif 000004
【図３】
2007172679.tif 000005
【図４】
2007172679.tif 000006
【図５】
2007172679.tif 000007
【図６】
2007172679.tif 000008
【図７】
2007172679.tif 000009
【図８】
2007172679.tif 000010
【図９】
2007172679.tif 000011
【図１０】
2007172679.tif 000012
【図１１】
2007172679.tif 000013
【図１２】
2007172679.tif 000014
【図１３】
2007172679.tif 000015
【図１４】
2007172679.tif 000016
【図１５】
2007172679.tif 000017
【図１６】
2007172679.tif 000018
【図１７】
2007172679.tif 000019
【図１８】
2007172679.tif 000020
【図１９】
2007172679.tif 000021
【図２０】
2007172679.tif 000022
【図２１】
2007172679.tif 000023
【図２２】
2007172679.tif 000024
【図２３】
2007172679.tif 000025
【図２４】
2007172679.tif 000026
【図２５】
2007172679.tif 000027
【図２６】
2007172679.tif 000028